(57)【要約】      （修正有）【課題】魚からの食いつき（アタック）を向上させるため、ルアー本体の目部を透明材料で覆う凸状な透明材料部を形成するルアーのカスタマイズ用のキットを提供する。【解決手段】バスなどが、獲物の目部に強く反応することから、ルアー本体の目部を透明材料で覆うことにより、目を本物の生きている魚のようにリアルに表現し、また、ルアーの目部を覆う透明材料を、目部に対して凸状に形成する。さらに、ルアーの目部にあらかじめ油性マジックなどで着色した後、その部分を透明樹脂で被服することにより、魚に対する視認性を向上させる。ルアーの目部を覆う透明材料として、ＵＶ硬化樹脂を用いる。上記の作業を現場で実施できるように光を遮断する素材からなる注射器型のアプリケーター４３に透明材料を充填して、ルアーのカスタマイズキット４１を形成する。【選択図】図４
0003173870.tif 000002
【実用新案登録請求の範囲】
【請求項１】
ルアー本体の目部を透明材料で覆う凸状な透明材料部が形成されている釣り用ルアーにおいて、
前記ルアー本体の目部は、着色されており、
前記透明材料部の屈折率が水よりも高いことを特徴とする釣り用ルアー。
【請求項２】
前記透明材料は、ＵＶ硬化樹脂であることを特徴とする請求項１記載の釣り用ルアー。
【請求項３】
前記透明材料部が形成される前に、ルアー本体の目部にシランカップリング剤が塗られており、ルアー本体の目部と透明材料との密着性が改善されていることを特徴とする請求項２記載の釣り用ルアー。
【請求項４】
ルアー本体の着色された目部を、屈折率が水よりも高い透明材料で覆い凸状な透明材料部を形成する釣り用ルアーのカスタマイズ用のキットであって、
前記透明材料及びその塗布装置を有し、
前記透明材料は、ＵＶ硬化樹脂であり、
前記塗布装置は、光を遮断する素材からなる注射器型のアプリケーターであり、
前記透明材料が前記塗布装置内に充填された状態でユーザーに供されることを特徴とする釣り用ルアーのカスタマイズ用のキット。
【考案の詳細な説明】
【技術分野】
【０００１】
本考案は、魚釣りに使用する釣り用ルアーに関し、特に、釣り用ルアー本体の目部を透明材料で覆う凸状な透明材料部が形成されている釣り用ルアー、及びその透明材料部を形成するルアーのカスタマイズ用のキットに関する。
【背景技術】
【０００２】
魚釣りに使用する従来の魚型ルアーの一例を図３に示す。図示されたルアーは、概略として、魚の形を模した形状をしたルアー本体３８と、ルアー本体に取着された３つの釣針３９を含んで構成されている。
【０００３】
ルアー本体３１は、通常プラスチック等の合成樹脂により形成され、全体として魚を模した形状をなし、疑似餌としての機能を発現している。
【０００４】
魚としての形状や色合いに関しては、目的とする場所や目的とする魚種などによって、様々に使い分けられており、さらには、フィッシングの効率を向上させる目的で、可動部を有するもの、発光機能を備えたもの（特許文献１参照）、魚がよってくるような音波を出す機能を備えたもの、さらにはバイブレーション機能を備えたもの（特許文献２参照）など、様々な機能を付加したものも存在する。
【先行技術文献】
【特許文献】
【０００５】
【特許文献１】特開２００４−３５０６８４号公報
【特許文献２】特開２００６−０９４８０４号公報
【考案の概要】
【考案が解決しようとする課題】
【０００６】
しかしながら、バスなどのルアーを用いたフィッシングにおいて、電池を用いたり、可動機構を備えたりした高機能なものが、必ずしも良い結果を出せる、というわけではない。  
【０００７】
また、機能が複雑になることにより、ユーザーがルアーを簡単にカスタマイズすることができなくなる、という事態も生じている。
【０００８】
こうした状況から、簡便で、より効果が得られるルアーや、カスタマイズの楽しみを提供することができるように製造できる装置が求められていた。本考案は、このような要望を解決することを課題とするものである。
【課題を解決するための手段】
【０００９】
こうした状況に鑑み、考案者は、電気を用いたり、稼動部を持たせたり、といった複雑な高機能化をせず、バスなどのフィッシングの対象となる魚種の特性を生かすことにより、よりシンプルで、より効果的な手法の研究を重ね、ルアーの目部のカスタマイズにより十分な効果が得られることを見出したことにより、本考案に至った。具体的には、次のとおりである。
【００１０】
本考案者は、バスなどのフィッシングの対象となる魚種が、獲物の目部に強く反応することから、ルアー本体の目部を透明材料で覆うことにより、目が本物の生きている魚のようにリアルに表現できることを見出した。また、ルアーの目部を覆う透明材料を、目部に対して凸状に形成することで、さらに魚からの食いつき（アタック）がよくなることも見出した。
【００１１】
特に、ルアーの目部を覆う透明材料部の屈折率を水よりも高くすることで、ルアーの目部の視認性が向上し、魚のヒットが向上することも発見した。
【００１２】
そこで、本考案は上記課題を解決するために、ルアー本体の目部を透明材料で覆う凸状な透明材料部が形成されている釣り用ルアーにおいて、前記ルアー本体の目部は、着色されており、前記透明材料部の屈折率が水よりも高いことを特徴とする釣り用ルアーを提供する。
【００１３】
前記透明材料は、ＵＶ硬化樹脂であることが好ましい。また、前記透明材料部が形成される前に、ルアー本体の目部にシランカップリング剤が塗られており、ルアー本体の目部と透明材料との密着性が改善されている構成とすることが好ましい。
【００１４】
さらに、本考案は、上記課題を解決するために、上記ルアー本体の目部を透明材料で覆う凸状な透明材料部を形成するルアーのカスタマイズ用のキットであって、透明材料及びその塗布装置を有し、前記透明材料は、ＵＶ硬化樹脂であり、前記塗布装置は、光を遮断する素材からなる注射器型のアプリケーターであり、前記透明材料が前記塗布装置内に充填された状態でユーザーに供されることを特徴とするルアーのカスタマイズ用のキットを提供する。
【考案の効果】
【００１５】
本考案は、上記のような解決手段とすることで、次のような効果が生じる。
（１）バスなどのフィッシングの対象となる魚種が、獲物の目部に強く反応することから、ルアー本体の目部を透明材料で覆うことにより、目が本物の生きている魚のようにリアルに表現でき、また、ルアーの目部を覆う透明材料を、目部に対して凸状に形成したので、魚からの食いつき（アタック）がよくなる。
【００１６】
（２）さらに、ルアーの目部にあらかじめ油性マジックなどで着色した後、その部分を透明樹脂で被服することにより、魚に対する視認性が向上し、より魚からの食いつき（アタック）が向上する。
（３）ルアーの目部を覆う透明材料として、ＵＶ硬化樹脂を用いることで、効率よく目的とするルアーを作製することが可能となった。
（４）また、ルアーは、ユーザーによって激しく水中で動かされることが前提となるため、透明樹脂とルアーの目部の密着性を向上させる目的で、シランカップリング剤を用いることで、こうした激しい環境下でも使用できるものとなった。
【００１７】
（５）本考案のルアーのカスタマイズ用のキットは、ルアー本体の目部を透明材料で覆う凸状な透明材料部を形成するルアーのカスタマイズ用のキットであって、透明材料及びその塗布装置を有し、透明材料はＵＶ硬化樹脂であり、塗布装置は光を遮断する素材からなる注射器型のアプリケーターであり、透明材料が塗布装置内に充填された状態でユーザーに供されるようにしたので、ユーザーは、フィッシングの現場で、ルアーの目部への適切なカスタマイズを施すことが容易となる。
【図面の簡単な説明】
【００１８】
【図１】本考案に係るルアーの実施例の構造を示す図である。
【図２】本考案の実施例のルアーの目部の視認性を表す図。
【図３】従来の魚型ルアーの一例を示す図である。
【図４】本考案に係るルアーのカスタマイズ用のキットを示す図である。
【図５】目部周りと本体側面に着色線を入れ、透明樹脂で被覆したルアーの例を示す図である。
【考案を実施するための形態】
【００１９】
（実施例）
本考案のルアー及びルアーのカスタマイズ用のキットを実施するための最良の形態を実施例及び図面を参照して、以下説明する。図１は、本考案によるルアーの構造の一例である。ルアー本体１１は、魚釣りのえさとなる部分であり、通常は小型の魚を模したものが用いられるが、えび、ザリガニなどの甲殻類の他、セミ、かえる、マウスなど、目部を持つ種々のえさが用いられる。ルアー本体１１の目部を覆う透明材料部１２は凸状に形成されているため、レンズの効果により、目部が強調されて見えることになる。
【００２０】
図２は、従来のルアー２１と本考案のルアー３１を横及び前方からそれぞれ見た図である。本考案のルアー３１は、図１のルアー本体１１に示すように目部を透明材料部１２で覆っている。従来のルアー２１の目部、本考案のルアー３１の目部を、それぞれ目部に対して垂直な（横方向の）視点２２、３２から視認した場合、図２に示すように、目部の映像２３、３３を確認することができる。この場合、本考案によるルアーの目部は、凸レンズ効果によって、実際よりも大きく視認することが可能となる。
【００２１】
しかし、従来のルアー２１の目部、本考案のルアー３１の目部を、それぞれ目部に対して水平な前方の視点２４、３４から見た場合、それぞれ図２に目部の映像２５、３５に示すように、従来のルアー２１においては、その目部をほとんど視認することができないのに対して、本考案におけるルアー３１では、凸レンズ効果によって、目部を視認することができるようになる。このことは、魚がルアーの目部を認職できる角度が大きくなることを示しており、結果としてフィッシングの効率を向上させることが可能となる。
【００２２】
ここで用いられるルアー２１の目部を覆う透明材料としては、凸レンズ効果を得るために、水よりも屈折率が高いことが必要であるが、特に高い効果を得るためには、屈折率１．４５以上、好ましくは、１．５５以上であることが望ましい。具体的には、ＰＭＭＡ、ＰＥＴ、ＰＣ、エポキシなど様々な種類のポリマーが考えられるが、一般的には、本考案のルアーを制作する工程を容易にすることから、アクリル系やメタクリル系の樹脂を用いることが多い。無論こうした樹脂は、屈折率の要因から、ベンゼン環や複素環を含んだものであってもよい。一方、ポリオレフィンは、目部との密着性が十分でなく、また屈折率も十分な効果を発揮するほど高くないので、用いられることは少ない。
【００２３】
また、透明材料部の平均曲率半径とは、透明樹脂全体がルアーの目部に対して凸状になっているとき、透明樹脂表面の微小表面△ｓに対する曲率半径を透明樹脂表面全体に対して平均することで得ることができる。実際の測定としては、例えば探針を走査するなどして透明樹脂表面の３次元データを得、これを解析することで、各点における曲率半径とその平均値を得ることが可能となる。
【００２４】
また、ルアーは、水中で激しく動かされることが前提となるので、ルアーの目部と透明樹脂との密着をよくする目的で、シランカップリング剤をプライマーとして用いてもよい。ルアーの目部が透明樹脂との密着性がよくない物質でできている場合、あらかじめシランカップリング剤を塗っておくことで、密着性を改善させることが可能となる。シランカップリング剤としては、アミノプロピルトリエトキシシランやグリシジルプロピルトリエトキシシランなどの一般的に用いられているものを、加水分解して用いることが多い。
【００２５】
図４は、従来のルアーから、本考案のルアーにカスタマイズするために、カスタマイズ用の製造材料（透明樹脂材料）と製造装置（塗布装置、具体的には下記のような注射器）をセットにして、ユーザーに提供されるキット４１を示している。ここでは、ルアーの目部を覆うために、粘度ｌ０００ｍＰａ・ｓ以上の透明なＵＶ硬化樹脂４２を、光を遮断する素材からなる注射器４３に充填して、ノズル部４４とのセットでパツケージングされている。
【００２６】
ここで用いられる透明なＵＶ硬化樹脂としては、アクリル系、メタクリル系、エポキシ系などが用いられるが、アクリル基、メタクリル基、グリシジル基などの官能基を有した状態で提供される。また、こうしたキット４１には、染料で緑、桃色、赤、灰色、茶色などのそれぞれの色に着色されたＵＶ硬化樹脂がそれぞれ異なる注射器に充填された状態でユーザーに供することも行われる。また、ルアーの目部をあらかじめ油性マーカー等で好きな色に着色しておき、その後、透明ＵＶ硬化樹脂を盛り上げることで、目部に容易に色を出すことも可能となる。
【００２７】
以下に本考案に示されたルアーのカスタマイズ用の製造材料と製造装置を備えたキットを用いて、本考案のルアーへとカスタマイズする手順（１）〜（３）を説明するが、本考案は、こうした手順によって限定されるものではない。
【００２８】
（１）ＵＶ硬化樹脂を充填した光を遮断する材料で作られた注射器４３のカバー（図４中注射器４３の上端に取り付けたカバー）をとり、ノズル部４４をセットする。
【００２９】
（２）ルアーの目部へのＵＶ硬化樹脂の塗布
従来のルアーの目部に、ノズル部４４をあて、アプリケーター（注射器４４）からＵＶ硬化樹脂をゆっくりと押し出す。このとき、透明樹脂の粘土が１０００ｍＰａ．s以上あるため、ルアーの目部に容易に凸状に透明樹脂を盛り上げることが可能となる。こうして塗布されるＵＶ硬化樹脂は、ルアーの目部について、魚からの視認性を高めることが可能となる。
【００３０】
（３）透明樹脂への光照射
コンパクトなＬＥＤを用いて、ルアーの目部上に盛り上げた透明樹脂に照射する。このとき特に限定はしないが、５００ｎｍ以下の光を用いると、速やかに硬化を進ませることが容易となる。ＵＶ硬化樹脂と照射光の整合性が取れている場合、照射後わずか数秒で硬化し、本考案の透明樹脂で覆われたルアーの目部を得ることが可能となる。
【００３１】
（実験例１）
桧原湖において、実験実施者Ａ〜Ｆの６人により、ブラックバスフイッシングテストを行った。条件を同じにするため、エリアを限定し、前半と後半を２時間づつ、従来型ルアーと本考案のルアー（新型ルアー）を交代してバスフィッシングを行った。本実験による比較実験の結果を表１に掲げた。なお、釣った数は、体長２０ｃｍ以上のもののみをカウントした。
【表１】
0003173870.tif 000003
【００３２】
この実験例１では、表１に示すように、従来型ルアーを使用した場合よりも本考案のルアーを使用した場合の方が、ブラックバスのあたりが２５〜５０％向上した。
【００３３】
（実験例２）
従来のルアーの目部が平面であるルアーを用いて湖でのバスフィッシングを行った。その結果、２時間で、３匹のバスを釣り上げたのみだった。次に、従来のルアーの目部に、シランカップリング剤によるプライマーを塗布した後、本考案による透明な紫外線硬化樹脂を専用アプリケーター（光を遮断する材料で作られた注射器）を用いて、ルアーの目部に対して、凸になるように盛り上げ、ＵＶのＬＥＤを１０秒間照射し、硬化させた。十分に透明樹脂が硬化し、ルアーの目部としっかり接着していることを確認した後、同一の場所でのバスフィッシングを試みた。その結果、２時間で５匹のブラックバスを釣り上げることができた。
【００３４】
（実験例３）
従来のルアーの目部の周りをマジックペンで緑色に着色し、さらに、図５に示すように、ルアー本体５１の側面に青で縦に三本線を着色し着色線５２とした。その上からＵＶ硬化樹脂で被覆し、ＵＶランプを照射し、硬化させ凸状透明樹脂５３を形成した。図５に出来上がったルアーを示した。下地に施した着色が凸状に硬化した透明なＵＶ硬化樹脂により、レンズ効果で強調され、視認性の高い装飾を施すことができた。
【符号の説明】
【００３５】
１１  ルアー本体                                                     
１２  ルアーの目部を覆う透明材料部                                          
２１  従来のルアー                                                   
２２  従来のルアーの目部に対する垂直な視点                           
２３  従来のルアーの目部に対する垂直な視点から見える目部の映像       
２４  従来のルアーの目部に対する水平な視点                           
２５  従来のルアーの目部に対する水平な視点から見える目部の映像       
３１  本考案のルアー                                                 
３２  本考案のルアーの目部に対する垂直な視点                         
３３  本考案のルアーの目部に対する垂直な視点から見える目部の映像     
３４  本考案のルアーの目部に対する水平な視点                         
３５  本考案のルアーの目部に対する水平な視点から見える目部の映像     
３８  従来のルアー本体                                               
３９  従来のルアーに取り付けられた３本の釣り針                       
４１  キット                                                         
４２  紫外線硬化剤                                                   
４３  注射器                                                         
４４  ノズル部                                               
５１  ルアー本体                                                     
５２  着色線                                                         
５３  凸状透明樹脂                                                   
【図１】
0003173870.tif 000004
【図２】
0003173870.tif 000005
【図３】
0003173870.tif 000006
【図４】
0003173870.tif 000007
【図５】
0003173870.tif 000008